(57)【要約】【課題】放電部を持つ空気清浄機の使用による室内の壁面の汚れを抑制する。【解決手段】ルーバー２１は、吹出口２０から吹出される清浄空気の風向を、周辺の室内の壁面ＷＬに沿うように吹出すための特定の風向である鉛直方向よりも後方に変更できる。放電部は、吹出口２０から吹出される空気に対して放電を行なうために設けられている。放電部は、ルーバー２１が特定の風向に変更するときには放電を停止するように構成されている。【選択図】図５
2015059707.tif 000002
【特許請求の範囲】
【請求項１】
吹出口から吹出される清浄空気の風向を、周辺の室内壁面に沿うように吹出すための特定の風向に変更できる風向変更部（２１）と、
前記吹出口から吹出される空気に対して放電を行なうために設けられ、前記風向変更部が前記特定の風向に変更するときには放電を停止するように構成されている放電部（６０，７０）と
を備える、空気清浄機。
【請求項２】
前記放電部は、前記特定の方向に清浄空気を吹出させてサーキュレーション運転を行なわせるサーキュレーションモードの選択、前記特定の風向の選択又は前記特定の風向の検知結果に基づいて放電を止める、
請求項１に記載の空気清浄機。
【請求項３】
前記風向変更部は、前記特定の風向を得るために、真上より後側に清浄空気を吹出す方向への風向の変更を行なう、
請求項１又は請求項２に記載の空気清浄機。
【請求項４】
前記放電部は、電気集塵のための放電、ストリーマ放電及びマイナスイオンの発生のための放電のうちの少なくとも一つの放電を行なう、
請求項１から３のいずれか一項に記載の空気清浄機。
【請求項５】
前記放電部は、前記風向変更部が前記特定の風向に変更し、かつ前記吹出口より所定の風量以上の清浄空気が吹出されるときに放電を停止する、
請求項１から４のいずれか一項に記載の空気清浄機。
【請求項６】
前記風向変更部は、風向を変更するための風向変更羽根（２２）と前記風向変更羽根を駆動するステッピングモータ（２５）とを有し、
前記放電部は、前記ステッピングモータへの指令値に基づいて放電を停止する、
請求項１から５のいずれか一項に記載の空気清浄機。
【請求項７】
前記風向変更部は、風向を変更するための風向変更羽根（２２）を有し、
前記風向変更羽根が前記特定の風向に変更する向きにあるか否かを検知するセンサ（２４）をさらに備え、
前記放電部は、前記センサの検知結果に基づいて放電を停止する、
請求項１から５のいずれか一項に記載の空気清浄機。
【発明の詳細な説明】
【技術分野】
【０００１】
本発明は、空気清浄機、特に吹出口から吹出される空気に対して放電を行なう放電部を持つ空気清浄機に関する。
【背景技術】
【０００２】
従来の空気清浄機の中には、清浄空気の気流によって室内の空気を循環させるサーキュレータとしての機能を積極的に用いるものがある。例えば、特許文献１（特開２０１０−２０６８号公報）に記載の空気清浄機は、送風機の回転数を通常運転時よりも上げて、空気清浄機の後方に向けて清浄空気を強く吹出すサーキュレート機能を有している。また、この特許文献１に記載されている空気清浄機は、イオン放出機能をもあわせ持っている。近年、空気清浄機の高機能化にともない、上述のようなサーキュレート機能とイオン放出機能などの放電機能とを合わせ持つ空気清浄機が増えてきている。そして、サーキュレート機能を発揮させるために清浄空気を強く吹出させると、空気清浄機の周囲にある室内の壁面にまで清浄空気が届いてしまう。あるいは、サーキュレート機能を高めるために、通常は空気清浄機の後側にあることが多い壁面に沿う清浄空気の気流を積極的に発生させることが行なわれている。
【発明の概要】
【発明が解決しようとする課題】
【０００３】
ところで、発明者が鋭意検討を重ねたところ、上述のようなサーキュレート機能と放電機能を合わせ持つ空気清浄機を使用していると、これらの機能を持たない空気清浄機に比べて空気清浄機の周囲の壁面に汚れが発生し易いことが見出された。
【０００４】
そこで、本発明は、放電部を持つ空気清浄機の使用による室内の壁面の汚れを抑制することを課題とする。
【課題を解決するための手段】
【０００５】
本発明の第１観点に係る空気清浄機は、吹出口から吹出される清浄空気の風向を、周辺の室内壁面に沿うように吹出すための特定の風向に変更できる風向変更部と、吹出口から吹出される空気に対して放電を行なうために設けられ、風向変更部が特定の風向に変更するときには放電を停止するように構成されている放電部とを備えるものである。
【０００６】
第１観点の空気清浄機においては、風向変更部が特定の風向に変更するときに放電が停止するので、放電が行なわれた清浄空気が室内壁面に沿って流れるという状況が発生し難くなる。
【０００７】
本発明の第２観点に係る空気清浄機は、第１観点の空気清浄機において、放電部は、特定の方向に清浄空気を吹出させてサーキュレーション運転を行なわせるサーキュレーションモードの選択、特定の風向の選択又は特定の風向の検知結果に基づいて放電を止める、ものである。
【０００８】
第２観点の空気清浄機においては、サーキュレーションモードの選択、特定の風向の選択又は特定の風向の検知結果に基づいて放電を止めることで、室内壁面に沿う特定の風向が生じる場合に限定して放電を止めることができる。
【０００９】
本発明の第３観点に係る空気清浄機は、第１観点又は第２観点の空気清浄機において、風向変更部は、特定の風向を得るために、真上より後側に清浄空気を吹出す方向への風向の変更を行なう、ものである。
【００１０】
第３観点の空気清浄機においては、真上より後側に清浄空気を吹出す方向への風向の変更を行なって特定の風向を得るので、空気清浄機の後側に位置する室内壁面に風向が向いているときは放電が停止される。
【００１１】
本発明の第４観点に係る空気清浄機は、第１観点から第３観点のいずれかの空気清浄機において、放電部は、電気集塵のための放電、ストリーマ放電及びマイナスイオンの発生のための放電のうちの少なくとも一つの放電を行なう、ものである。
【００１２】
第４観点の空気清浄機においては、電気集塵のための放電、ストリーマ放電及びマイナスイオンの発生のための放電のうちの少なくとも一つの機能を使用するにあたって、室内壁面の汚れが発生し易いときに放電を停止できる。
【００１３】
本発明の第５観点に係る空気清浄機は、第１観点から第４観点のいずれかの空気清浄機において、放電部は、風向変更部が特定の風向に変更し、かつ吹出口より所定の風量以上の清浄空気が吹出されるときに放電を停止する、ものである。
【００１４】
第５観点の空気清浄機においては、風量が所定の風量よりも少ないときは、放電を停止しないので、風量を調節することで特定の風向に向ける場合でも放電を行わせることができる。
【００１５】
本発明の第６観点に係る空気清浄機は、第１観点から第５観点のいずれかの空気清浄機において、風向変更部は、風向を変更するための風向変更羽根と風向変更羽根を駆動するステッピングモータとを有し、放電部は、ステッピングモータへの指令値に基づいて放電を停止する、ものである。
【００１６】
第６観点の空気清浄機においては、放電の停止がステッピングモータへの指令値に基づいて行なわれるので、ステッピングモータへの指令値から特定の風向であるか否かを認識することができる。
【００１７】
本発明の第７観点に係る空気清浄機は、第１観点から第５観点のいずれかの空気清浄機において、風向変更部は、風向を変更するための風向変更羽根を有し、風向変更羽根が特定の風向に変更する向きにあるか否かを検知するセンサをさらに備え、放電部は、センサの検知結果に基づいて放電を停止する、ものである。
【００１８】
第７観点の空気清浄機においては、風向変更羽根が特定の風向に変更されていることがセンサによって検知されるので、センサの検知結果に基づいて放電が停止されることにより、例えば手動で風向変更羽根が特定の風向に変更されるときでも放電の停止が可能になる。
【発明の効果】
【００１９】
本発明の第１観点に係る空気清浄機では、放電が行なわれた清浄空気が室内壁面に沿って流れるという状況が発生し難くなり、室内の壁面が汚れるのを抑制することができる。
【００２０】
本発明の第２観点に係る空気清浄機では、室内壁面に沿う特定の風向が生じない場合には放電を止めずに済むことから、壁面の汚れを抑制しながら放電部を有効に活用できる。
【００２１】
本発明の第３観点に係る空気清浄機では、空気清浄機の後側に位置することの多い室内壁面の汚れが抑制され、室内壁面の汚れの抑制効果が顕著になる。
【００２２】
本発明の第４観点に係る空気清浄機では、放電による電気集塵、ストリーマ放電及び放電によるマイナスイオンの発生のうちの少なくとも一つの機能を有する場合に、室内壁面の汚れの抑制を行うことができる。
【００２３】
本発明の第５観点に係る空気清浄機では、特定の風向においても室内壁面の汚れを抑制しながら放電を行なわせることができる。
【００２４】
本発明の第６観点に係る空気清浄機では、ステッピングモータへの指令値に基づく制御により特定の風向による放電停止の制御が容易になる。
【００２５】
本発明の第７観点に係る空気清浄機では、風向変更羽根が特定の風向に変更されたことをセンサで検知して放電を確実に停止させることができる。
【図面の簡単な説明】
【００２６】
【図１】本発明の実施形態に係る空気清浄機の斜視図。
【図２】図１の空気清浄機の分解斜視図。
【図３】図１の空気清浄機における送風経路を示す概念図。
【図４】開かれたコロナ放電ユニットを示す正面図。
【図５】（ａ）吹出口を閉じているルーバーの断面図、（ｂ）鉛直方向に開いたルーバーの断面図、（ｃ）鉛直方向に対して３０°前方へ傾いているルーバーの断面図、（ｄ）鉛直方向に対して４５°後方へ傾いているルーバーの断面図、（ｅ）鉛直方向に対して４５°前方へ傾いているルーバーの断面図。
【図６】空気清浄機の制御系統を示すブロック図。
【図７】空気清浄機の使用状況を説明するための斜視図。
【発明を実施するための形態】
【００２７】
（１）空気清浄機
以下、本発明の一実施形態に係る空気清浄機について図面を用いて説明する。図１は空気清浄機を正面斜め上から見たときの外観を示す斜視図であり、図２は図１に示されている空気清浄機の分解斜視図である。図１に示されている空気清浄機１０は、本体１０ａと本体１０ａに取り付けられる複数の部材から構成されている。コロナ放電ユニット６０並びに後述するフィルタ部、加湿部、シロッコファン及びストリーマ放電ユニット等が本体１０ａに収納されている。空気清浄機１０では、図１に示されている矢印の方向に、前後左右上下が決められているものとして以下の説明を行なう。
【００２８】
（１−１）外観
空気清浄機１０の正面は、ケーシング部材の１つである合成樹脂製の前パネル１２に覆われている。空気清浄機１０の側面の一部は、ケーシング部材の１つである合成樹脂製の側方吸込口形成部材１３により覆われている。正面の下方には、前パネル１２に覆われていない部分があり、当該部分に下吸込口１５が設けられている。側方吸込口形成部材１３には、空気を取り込む側方吸込口１６が縦方向に延びるように形成されている。側方吸込口１６は、空気清浄機１０の左右側面に一つずつ形成されている。
【００２９】
空気清浄機１０内に吸い込まれた空気が吹き出される吹出口２０は、図１及び図４に示されているように空気清浄機１０の上面に設けられている。また、空気清浄機１０の上面には樹脂カバーで覆われた操作パネル１０ｂが設置されている。
【００３０】
（１−２）空気の流れ
図３は、空気清浄機１０における塵埃の除去および分解の概念を説明するための概念図である。図３に示されているように、この空気清浄機１０においては、シロッコファン５０によって下吸込口１５及び側方吸込口１６から吹出口２０に至る空気の流れ８１が発生する。下吸込口１５及び側方吸込口１６から吸込まれた室内空気は、フィルタ部３０で塵埃や臭い成分などが取り除かれ、吹出口２０から清浄な空気がシロッコファン５０により吹き出される。
【００３１】
（２）詳細構成
（２−１）コロナ放電ユニット
図２に示されている分解斜視図においては、空気清浄機１０から前パネル１２等の部材の一部が取り外された状態が示されている。この図に示されているように、コロナ放電ユニット６０は、横よりも縦が長い筒状の形状をしており、左右の側方吸込口１６の近傍に１つずつ、それぞれの側方吸込口１６に沿って立てた状態で、着脱可能に設置されている。側方吸込口１６から吸い込まれる空気が全てコロナ放電ユニット６０を通るように構成されており、コロナ放電ユニット６０は、吸い込まれた空気の中に浮遊している比較的小さな塵埃を帯電させる。
【００３２】
図４を参照しながら、コロナ放電ユニット６０について説明する。左右のコロナ放電ユニット６０は、基本的に同じ構成を有するので、以下、一方のコロナ放電ユニット６０について説明し、他方のコロナ放電ユニット６０についての説明は省略する。コロナ放電ユニット６０は、縦に長い筒状の形状をした合成樹脂製のケーシング６１を有する。ケーシング６１は、縦に二分されており、第１部材６１ａと第２部材６１ｂがヒンジ６１ｃで繋がれた構成になっている。第１部材６１ａ及び第２部材６１ｂは、格子状になっている部分を有する。第１部材６１ａの当該格子状になった部分の外側は、図示しないがプレフィルタにより覆われている。第１部材６１ａは、正負２つの電極のうちの正極であるタングステン製のイオン化線６２を保持する。負極は、第２部材６１ｂにより保持されている。負極は、ステンレス金属製の板状の電極（電極板６３）である。イオン化線６２はケーシング６１の下端部で折り返されて上端部と下端部の間にＵ字状に取り付けられており、電極板６３はケーシング６１の上端から下端に向かって縦方向に長く延びるように取り付けられている。電極板６３は、第２部材６１ｂの長手方向に並行な３つの対向する壁を形成するように成形されている。Ｕ字状のイオン化線６２は、電極板６３の３つの壁の間のスペースを使って壁に対して平行に配線されている。
【００３３】
イオン化線６２に高電圧が印加されると、イオン化線６２と電極板６３の間に電位差が生じる。それにより、イオン化線６２と電極板６３とが対向している部位において、１種のコロナ放電が生じる。
【００３４】
（２−２）フィルタ部
図３に示されているように、フィルタ部３０は、プレフィルタ３１とＨＥＰＡ（High Efficiency Particulate Air Filter）フィルタ３２と脱臭エレメント３３とで構成されている。まず、プレフィルタ３１によって大きな塵埃が取り除かれる。次に、ＨＥＰＡフィルタ３２によってさらに微細な塵埃が取り除かれる。さらに、ＨＥＰＡフィルタ３２を通過した空気は、活性炭などを含む脱臭エレメント３３によってホルムアルデヒドや臭い成分などが分解され、或いは吸着される。
【００３５】
（２−３）ストリーマ放電ユニット
シロッコファン５０から吹き出される空気のうちの一部が、図３に示す支流８２としてストリーマ放電ユニット７０（図２参照）に送られる。ストリーマ放電ユニット７０は、正極であるタングステン製の針状の電極（図示せず）と、針状電極の近傍に位置して針状電極に対向する板状の対向電極（図示せず）を有する。この針状電極に高電圧を印加することによりプラズマ放電の一種であるストリーマ放電が発生する。そして、ストリーマ放電が発生する際に酸化分解力の高い活性種が生成される。
【００３６】
この支流８２がストリーマ放電ユニット７０を通過するときに、ストリーマ放電によって活性種が供給される。活性種の供給された支流８２は、ストリーマ放電ユニット７０から通路部材３５へ流入する。左右の通路部材３５は、それぞれ本体１０ａの左右の側面に沿って配置され、上下方向に長く延びている。これら通路部材３５には、複数の放出口３６が上下方向に並べてそれぞれ形成されている。そして、支流８２は、通路部材３５の放出口３６からプレフィルタ３１の前に吹き出されるときに複数の分流となる。放出口３６から吹出される複数の分流は、下吸込口１５及び側方吸込口１６から吸い込まれた室内空気とプレフィルタ３１から吸い込まれるときに合流した後、ＨＥＰＡフィルタ３２及び脱臭エレメント３３を通過する。ストリーマ放電によって供給される活性種が脱臭エレメント３３にまで達するので、この活性種によって消臭効果が高められる。
【００３７】
（２−４）加湿部
図３に示されている加湿部４０は、加湿ロータ４１や水トレイ４２などを備えている。脱臭エレメント３３を通過した空気は、加湿部４０の加湿ロータ４１を通過する。加湿を行なう場合は、加湿ロータ４１が回転しており、水トレイ４２から水の供給を受けた加湿ロータ４１から空気中に水分が放出される。一方、加湿を行わない場合は、加湿ロータ４１が回転を停止して乾燥している。そのため、加湿を行わない場合は、脱臭エレメント３３を通過した空気は、そのまま水分の供給を受けずに加湿ロータ４１を通過する。
【００３８】
（２−５）ルーバー
既に説明したように、図３に示されている空気の流れ８１を経て浄化され調湿された空気は、空気清浄機１０の本体１０ａの上部にある吹出口２０から吹出される。図５（ａ）乃至図５（ｅ）には、本体１０ａの上部にある吹出口２０に設けられているルーバー２１が示されている。吹出口２０からの空気の吹き出し方向は、吹出口２０の開口部に設置されたルーバー２１によって変更することができる。
【００３９】
ルーバー２１は、仕切羽根２２と風向調整羽根２３とを有している。仕切羽根２２は、吹出口２０を、第１の吹出空気が通過する領域と第２の吹出空気が通過する領域とに仕切る。風向調整羽根２３は、第１の吹出空気を第１方向に向かわせ、風向調整羽根２３は、第１の吹出空気を第２方向に向かわせる。風向調整羽根２３は、仕切羽根２２と交差し、且つ鉛直方向に対して傾斜自在に仕切羽根２２に支持されている。この風向調整羽根２３によって左右方向の風向が調整される。
【００４０】
ルーバー２１は、図６に示されているステッピングモータ２５，２６を有しており、ステッピングモータ２５，２６によって仕切羽根２２と風向調整羽根２３とを駆動する。運転停止時にはルーバー２１が閉じた状態であるが、運転を開始するとステッピングモータ２５の駆動によってルーバー２１は自動的に真上に開く。
【００４１】
さらに、本体１０ａの上部の操作パネル６０の下方には、図６に示されている制御部９０が設置されている。制御部９０は、操作パネル６０から入力される信号に基づいて、ルーバー２１のステッピングモータ２５，２６、加湿部４０のモータ４３、シロッコファン５０のモータ５１、コロナ放電ユニット６０及びストリーマ放電ユニット７０等を制御する。運転モードは、操作パネル６０上の運転切換ボタンによって切り替えられる。
【００４２】
（３）空気清浄動作
図３を参照しながら、空気清浄機１０による空気清浄作用について説明する。側方吸込口１６から吸い込まれた空気は、コロナ放電ユニット６０に到達する。そこで、コロナ放電ユニット６０の第１部材６１ａの外側に設けられたプレフィルタにより比較的大きなホコリや塵が空気中から除去される。次に、空気はコロナ放電ユニット６０の放電部を通過する。その際、空気に含まれる塵埃等がプラス電荷に帯電する。そして、プラス電荷に帯電した塵埃等を含む空気は、フィルタ部３０に到達する。他方、下吸込口１５から吸い込まれた空気は、コロナ放電ユニット６０を通過することなくフィルタ部３０に到達する。
【００４３】
フィルタ部３０では、空気は先ず、プレフィルタ３１を通過する。その際、比較的大きなホコリや塵が、プレフィルタ３１により空気中から除去される。プレフィルタ３１には光触媒やカテキンが含まれている。そのため、プレフィルタ３１に含まれる光触媒とカテキンとの作用により、プレフィルタ３１の繊維に付着した塵埃などに含まれるカビ菌や細菌などの菌やウィルスの繁殖が抑制されるとともに、ウィルスが不活化される。
【００４４】
プレフィルタ３１を通った空気は、ＨＥＰＡフィルタ３２を通過する。当該空気中の帯電した塵埃等は、ＨＥＰＡフィルタ３２に吸着される。ＨＥＰＡフィルタ３２を通過した空気は、脱臭エレメント３３を通過するときに脱臭される。
【００４５】
その後、当該空気は、加湿部４０の加湿ロータ４１に到達する。加湿運転が行なわれているときは、加湿ロータ４１を通過する空気が加湿される。一方、加湿運転が停止している状態では、加湿ロータ４１の回転が停止して加湿ロータ４１が乾燥しているので、加湿ロータ４１を通過する空気は加湿されない。
【００４６】
フィルタ部３０及び加湿ロータ４１を通過して清浄された空気は、吹出口２０から室内へと吹き出される。また、清浄された空気の一部は、室内へと吹き出されることなく支流８２となって、ストリーマ放電ユニット７０へ導入される。
【００４７】
ストリーマ放電ユニット７０においては、ストリーマ放電により活性種が生成される。活性種を含む空気は、２つの通路部材３５内を通り、各通路部材３５に形成された複数の放出口３６からプレフィルタ３１の前に放出される。プレフィルタ３１の前に放出された活性種を含む空気は、吸込空気と混ざり合ってプレフィルタ３１及びＨＥＰＡフィルタ３２に吸い込まれる。これらの活性種を含んだ空気は、ウィルスやカビ菌、細菌などを不活化させ、または死滅させる。
【００４８】
（３−１）ルーバーの可動範囲
次に、ルーバーの動作について説明する。図５（ａ）には吹出口２０をルーバー２１が閉じている状態が示されている。工場出荷時のルーバー２１は、吹出口２０を閉じる位置にあり、図５（ａ）の位置（以後、閉位置と呼ぶ）である。
【００４９】
図５（ｂ）にはルーバー２１が鉛直方向（上下方向）に開いた状態が示されている。運転を開始したとき、ルーバー２１が自動的に真上に開き、図５（ｂ）の位置（以後、Ｂ位置と呼ぶ）となる。
【００５０】
図５（ｃ）にはルーバー２１が鉛直方向に対して３０°前方へ傾いている状態が示されている。空気清浄運転時および加湿運転時に、ルーバー２１がスイングモードに設定されたとき、ルーバー２１は、図５（ｃ）のように鉛直方向に対して３０°前方へ傾いた位置（以後、Ｃ位置と呼ぶ）とＢ位置との間を遥動する。
【００５１】
図５（ｄ）にはルーバー２１が鉛直方向に対して４５°後方へ傾いている状態が示されている。サーキュレーション運転の場合に、ルーバー２１は、図５（ｄ）のように鉛直方向に対して４５°後方へ傾いた位置（以後、Ｄ位置と呼ぶ）に移動する。サーキュレーション運転では、図７に示されているように、部屋ＲＳの床ＦＬに空気清浄機１０が置かれている状態で、ルーバー２１によって空気清浄機１０の後方の壁面ＷＬの方に沿うように調和空気が風量最大で送風される。そして、壁面ＷＬから天井ＣＬに沿って室内の空気が循環するように流れる。
【００５２】
図５（ｅ）にはルーバー２１が鉛直方向に対して４５°前方へ傾いている状態が示されている。ルーバー２１の手動による可動範囲は、閉位置から図５（ｅ）の鉛直方向に対して４５°前方へ傾いた位置（以後、Ｅ位置とよぶ）まである。つまり、閉位置からＥ位置までの１３５°は、手動で調節できるので、使い勝手がよい。
【００５３】
また、ルーバー２１は、動作中に操作パネル１０ｂの所定のボタンを押すことによって、所定のボタンを押したタイミングでルーバー２１が停止させることができるように構成されている。停止中は、吹出口２０からゴミなどの異物の侵入を防止するために、ルーバー２１を手動で閉位置へ戻して吹出口２０を閉じることができる。
【００５４】
なお、ルーバー２１の動作は上記のものに限られるものではなく、例えば空気清浄機１０が除湿機能をさらに備える場合には洗濯物を乾かし易くするためのモードを設定することもできる。その場合には、例えば、Ｄ位置よりも１５°程度後方側の位置（以後、Ｄ２位置と呼ぶ）との間を遥動するように構成することもできる。干された洗濯物に向って、ルーバー２１がＤ位置−Ｄ２位置間を遥動するので、空気清浄され除湿された空気が洗濯物に満遍なく当たるようになる。
【００５５】
（３−２）ルーバーと放電の制御
（３−２−１）サーキュレーション運転の場合
サーキュレーション運転を空気清浄機１０に行なわせる場合には、サーキュレーション運転（サーキュレート機能）を指示するためにユーザが操作パネル１０ｂのボタンを操作して、サーキュレーションモードを選択する。
【００５６】
制御部９０は、操作パネル１０ｂからの信号を受信して、サーキュレーション運転が指示されたことを検知すると、図５（ｄ）を用いて説明したように、ステッピングモータ２５によってルーバー２１を４５°後方へ傾けるとともに風量を最大にするようにシロッコファン５０のモータ５１を制御する。
【００５７】
そして、制御部９０は、ルーバー２１が壁面ＷＬの方に向かうとともに風量が最大になるため、操作パネル１０ｂのボタンによってサーキュレーション運転が指示されたときにはコロナ放電ユニット６０及びストリーマ放電ユニット７０の放電を停止させる。
【００５８】
（３−２−２）操作パネルでルーバーを停止させる場合
上述の（３−１）で説明したように、ルーバー２１の揺動を操作パネル１０ｂの所定のボタンで停止させることができる。このときの停止位置は、操作パネル１０ｂの所定のボタンを押したタイミングによって区々である。
【００５９】
そこで、制御部９０は、所定のボタンが押されたタイミングでルーバー２１を停止させたときには、ステッピングモータ２５への指示値からルーバー２１の向きを判断する。例えば、閉位置を基準としてステップ数をカウントし、そのカウント値でルーバー２１の向きを判断する。カウント値が閉位置よりも６０°前方へ傾いた値を示していれば、ルーバー２１が鉛直方向に対して３０°後方へ傾いている状態であることを制御部９０が検知することができる。また、制御部９０は、このときの風量を、シロッコファン５０のモータ５１に対して指示している内容から検知することができる。
【００６０】
ここでは、ルーバー２１が鉛直方向に対して後方へ傾いている状態であり、かつ風量が「強風」以上のタップに設定されている状態のときに、放電を停止するという指示が制御部９０に予め入力されているものとする。
【００６１】
このように設定されている制御部９０は、上述のようにルーバー２１が鉛直方向に対して後方へ傾いている状態を検知すると同時に、風量が「強風」以上のタップに設定されている状態であることを検知すると、コロナ放電ユニット６０及びストリーマ放電ユニット７０の放電を停止させる。
【００６２】
（３−２−３）ルーバーの傾きを手動で変更する場合
図５（ｅ）を用いて説明したように、停止中は、ルーバー２１は手動で傾きを変更させることができる。例えば、停止中にルーバー２１を手動で変更し、運転中にステッピングモータ２５を停止させてルーバー２１を固定した常態にする場合には、上述のように制御部９０がステッピングモータ２５への指示値からルーバー２１の傾きを検知するといったことはできなくなる。
【００６３】
そこで、例えば、図５（ｅ）に示されているように、ルーバー２１が鉛直方向に対して後方に傾いたことを検知する位置センサ２４を吹出口２０の近傍に設ける。そして、制御部９０は、この位置センサ２４でルーバー２１が鉛直方向に対して後方へ傾いている状態でることが検知され、かつ風量が「強風」以上のタップに設定されていることが検知されたときに、コロナ放電ユニット６０及びストリーマ放電ユニット７０に対して放電を停止させる。
【００６４】
（４）特徴
（４−１）
ルーバー２１（風向変更部の例）は、吹出口２０から吹出される清浄空気の風向を、周辺の室内ＲＳの壁面ＷＬに沿うように吹出すため、鉛直方向に対して後方（特定の風向の例）に変更できる。例えば、サーキュレーションモード時には、鉛直方向に対して４５°後方へ傾いたＤ位置にルーバー２１の傾きを変更する。操作パネル１０ｂでルーバー２１を停止させる場合は、操作パネル１０ｂのボタンの操作で鉛直方向に対して後方に傾いた状態にルーバー２１の傾きを変更して停止できる。ルーバー２１の傾きを手動で変更する場合は、手動で鉛直方向に対して後方に傾いた状態にルーバー２１の傾きを変更することができる。
【００６５】
コロナ放電ユニット６０及びストリーマ放電ユニット７０（放電部の例）は、吹出口２０から吹出される空気に対して放電を行なうために設けられている。コロナ放電ユニット６０及びストリーマ放電ユニット７０は、ルーバー２１が鉛直方向に対して後方に傾いた状態又は鉛直方向に対して４５°後方に傾いた状態に変更されたときには放電を停止するように制御部９０に制御されている。
【００６６】
ルーバー２１が鉛直方向に対して後方に傾いた状態又は鉛直方向に対して４５°後方に傾いた状態に変更されたときには放電が停止するので、放電が行なわれた清浄空気が室内ＲＳの壁面ＷＬに沿って流れるという状況が発生し難くなる。その結果、室内ＲＳの壁面ＷＬが空気清浄機１０の運転によって汚れるのを抑制することができる。
【００６７】
このように、コロナ放電ユニット６０及びストリーマ放電ユニット７０は、制御部９０の制御により、サーキュレーションモードの選択、操作パネル１０ｂのボタン操作によるルーバー２１の停止（特定の風向の選択の例）、又は位置センサ２４によるルーバー２１が鉛直方向に対して後方に傾いた状態の検知（特定の風向の検知の例）の検知結果に基づいて放電を止めている。そのため、室内ＲＳの壁面ＷＬに沿う鉛直方向に対して後方への風向が生じる場合に限定して放電を止め、壁面ＷＬに沿う特定の風向が生じない場合、例えば鉛直方向に対して前方に吹出す場合には放電を止めずに済むことから、壁面の汚れを抑制しながらコロナ放電ユニット６０及びストリーマ放電ユニット７０を有効に活用することができる。
【００６８】
（４−２）
コロナ放電ユニット６０及びストリーマ放電ユニット７０は、最大風量や「強風」以上のタップ（所定の風量の例）の風量以上のときに放電を停止する。制御部９０は、もし、ルーバー２１が鉛直方向よりも後方に向いていても、「強風」よりも風量が少ない「中風」や「弱風」のときにはコロナ放電ユニット６０及びストリーマ放電ユニット７０の放電を停止させない。このように「中風」や「弱風」のときには壁面ＷＬにまで放電の効果が及び難い。その結果、「中風」や「弱風」のときにコロナ放電ユニット６０及びストリーマ放電ユニット７０が放電を行なわせ、ルーバー２１が鉛直方向よりも後方に向いている場合に室内ＲＳの壁面ＷＬの汚れを抑制しながら放電を行なわせることができる。
【００６９】
（４−３）
ルーバー２１は、風向を変更するための仕切羽根２２（風向変更羽根の例）と仕切羽根２２を駆動するステッピングモータ２５とを有している。コロナ放電ユニット６０及びストリーマ放電ユニット７０は、制御部９０により、ステッピングモータ２５への指令値に基づいて放電を停止するよう制御されている。制御部９０は、ステッピングモータ２５への指令値から鉛直方向よりも後方に向いているか否かを認識することができ、鉛直方向よりも後方にルーバー２１が向いているときの放電停止の制御が容易になる。
【００７０】
（４−４）
位置センサ２４は、ルーバー２１の仕切羽根２２が鉛直方向に対して後方に傾いた状態を検知する（特定の風向に変更する向きにあるか否かの検知する例）。コロナ放電ユニット６０及びストリーマ放電ユニット７０は、制御部９０により、位置センサ２４の検知結果に基づいて放電を停止させられる。位置センサ２４の検知結果に基づいてコロナ放電ユニット６０及びストリーマ放電ユニット７０が放電を停止させられることにより、例えば手動で仕切羽根２２が鉛直方向に対して後方に傾けられたときでも放電の停止が可能になる。
【００７１】
（５）変形例
（５−１）変形例１Ａ
上記実施形態では、放電部としてのコロナ放電ユニット６０及びストリーマ放電ユニット７０がコロナ放電を用いて帯電した塵埃等は、ＨＥＰＡフィルタ３２に吸着する電気集塵やストリーマ放電などの放電について説明した。しかし、放電部が行なう放電の形態はこれらに限られるものでなく、例えばマイナスイオンの発生のための放電を行なう放電部についても本願発明を適用することができる。
【００７２】
（５−２）変形例１Ｂ
上記実施形態では、特定の風向として、ルーバー２１が鉛直方向に対して後方に傾けられたときの風向及び鉛直方向に対して４５°後方に傾けられたときの風向について説明した。しかし、特定の風向は、ルーバー２１が鉛直方向に対して後方に傾けられていれば、鉛直方向に対して後方に傾けられる角度は任意に設定できる。また、ルーバー２１が鉛直方向に対して後方に傾けられて固定されている場合に限られるものではなく、例えば洗濯物を乾かすときのＤ位置とＤ２位置との間を揺動しているような場合であってもよい。
【符号の説明】
【００７３】
１０  空気清浄機
２０  吹出口
２１  ルーバー
２２  仕切羽根
２３  風向調整羽根
２４  位置センサ
２５，２６  ステッピングモータ
３０  フィルタ部
４０  加湿部
５０  シロッコファン
６０  コロナ放電ユニット
７０  ストリーマ放電ユニット
【先行技術文献】
【特許文献】
【００７４】
【特許文献１】特開２０１０−２０６８号公報
【図１】
2015059707.tif 000003
【図２】
2015059707.tif 000004
【図３】
2015059707.tif 000005
【図４】
2015059707.tif 000006
【図５】
2015059707.tif 000007
【図６】
2015059707.tif 000008
【図７】
2015059707.tif 000009